(57)【要約】【課題】  従来、電子機器はシールドケースへの基板の取り付けが容易ではなく、また基板上に設けられたコネクタのシールドケースへの接続も容易ではないという問題点を有していた。【解決手段】  本発明においては、外形が直方体状のシールドケース２と、このケース２の内部に形成された複数の支持部２５、２６、これら複数の支持部２５、２６によって前記シールドケース２内に支持されたメイン基板６と、このメイン基板６上の一端側に配置された１０ＢＡＳＥ−Ｔジャック９と、このジャック９に形成されかつジャック９と電気的に接続された、前記シールドカバー２と接触する接触部材１０とを具備した。【選択図】  図１ 
2005108881.tif 000002
【特許請求の範囲】
【請求項１】
外形が直方体状のシールドケースと、このケースの内部に形成された複数の支持部と、これら複数の支持部によって前記シールドケース内に支持された基板と、この基板上の端部に配置されたコネクタと、このコネクタに形成されかつこのコネクタと電気的に接続された、前記シールドカバーと接触する接触部材とを具備したことを特徴とする電子機器。
【請求項２】
請求項１記載の電子機器において、前記基板には前記コネクタが配設された端部とは異なる端部に前記コネクタとは異なる種類のコネクタが配設されたことを特徴とする電子機器。
【請求項３】
外形が直方体状でかつ切欠き部を有するシールドケースと、このシールドケースの内部に形成された複数の支持部と、これら複数の支持部によって前記シールドケース内に支持された基板と、この基板上の一端側に配置され前記シールドケースの切欠き部を介して前記シールドケースから露出したコネクタと、このコネクタに形成されると共にこのコネクタと電気的に接続されかつ前記シールドケースと前記切欠き部分で接触する接触部材とを具備したことを特徴とする電子機器。
【請求項４】
請求項１乃至３記載の電子機器において、前記支持部材は前記シールドケースの一部を前記シールドケース内側に突出させることで形成されていることを特徴とする電子機器。
【請求項５】
請求項１乃至３記載の電子機器において、前記シールドケースは、枠状部材及びこの枠状部材の両開口部側に配置される蓋状部材とから構成され、前記基板は前記枠状部材に支持されたことを特徴とする電子機器。
【発明の詳細な説明】
【技術分野】
【０００１】
本発明は、例えばケーブルモデム装置等の電子機器に関する。
【背景技術】
【０００２】
近年、ケーブルモデム装置は回路の高集積化、部品の高性能化、実装技術の高度化が進み、大幅なコストダウンや小型化が達成されつつある。このような中、ケーブルモデム装置を機器本体に内蔵することでコストや機能のメリットを見い出すことも可能になってきた。
【０００３】
しかしながら従来のケーブルモデム装置では、パーソナルコンピュータ（以下、ＰＣという）の付近に置かれたり、壁に掛けたりすることを前提にその形状と大きさが決められているため、ある程度の大きさが必要であり、それなりの重量を持っていた。よってケーブルモデム装置内部の回路基板を固定する方法も、安定的に固定するためにビスによる固定が一般的であり、機器本体への内蔵に適した小型化を行なうことまでは考慮されていなかった。例えば、特許文献１は一般的な電子機器にかかる筐体のシールド構造にかかる発明を開示しているが、ここでは基板はビスで筐体に取り付けられている。
【０００４】
上記に加えて、ＲＦ同軸コネクタとＩＥＥＥ８０２．３規格に準じた１０ＢＡＳＥ−Ｔジャック（以下、１０ＢＡＳＥ−Ｔジャックという）は同一の面、一般的にはケーブルモデム装置の裏面側に配置されている。このような配置によりＲＦ同軸コネクタを金属シールド板や金属シールドケースの挿入穴に通すと同時に１０ＢＡＳＥ−Ｔジャックも金属シールド板や金属シールドケースの挿入穴に通すことが可能であった。
【０００５】
しかしながら、ケーブルモデム装置を機器本体に内蔵するときは、必ずしもＲＦ同軸コネクタと１０ＢＡＳＥ−Ｔジャックを同一面に配置することが適当でない場合があり、製造上、ＲＦ同軸コネクタ及び１０ＢＡＳＥ−Ｔジャックを同時に金属シールド板や金属シールドケースの挿入穴に通すことができない場合がある。このような場合には金属シールド板や金属シールドケースと１０ＢＡＳＥ−Ｔジャックに備えられた接触片を適当な力で金属シールド板や金属シールドケースと接触させることが必要である。なお、上記接触片は、外来ノイズがＩＥＥＥ８０２．３規格に準じた通信に重畳するのを防ぐために、１０ＢＡＳＥ−Ｔジャックを金属シールドケースと接触させるために設けられるものである。
【特許文献１】特開平１０−２３３５９１号公報（第２頁乃至３頁、図３）
【発明の開示】
【発明が解決しようとする課題】
【０００６】
上述したように従来の電子機器はシールドケースへの基板の取り付けが容易ではなく、また基板上に設けられたコネクタのシールドケースへの接続も容易ではなかった。
本発明は上記の問題を解決するためになされたものであり、小型化を図った際にもシールドケースへの回路基板への取り付けが容易で、かつ基板上に配置されたコネクタがシールドケースに確実に接触可能な電子機器を提供することを目的とする。なお、本明細書においては、ジャック類も含めてコネクタと総称する。
【課題を解決するための手段】
【０００７】
上記目的を達成するために、請求項１にかかる電子機器は、外形が直方体状のシールドケースと、このケースの内部に形成された複数の支持部と、これら複数の支持部によって前記シールドケース内に支持された基板と、この基板上の端部に配置されたコネクタと、
このコネクタに形成されかつこのコネクタと電気的に接続された、前記シールドカバーと接触する接触部材とを具備したことを特徴とするものである。
【０００８】
また、請求項２にかかる電子機器は、請求項１記載の電子機器において、前記基板には前記コネクタが配設された端部とは異なる端部に前記コネクタとは異なる種類のコネクタが配設されたことを特徴とするものである。
【０００９】
さらに、請求項３にかかる電子機器は、外形が直方体状でかつ切欠き部を有するシールドケースと、このシールドケースの内部に形成された複数の支持部と、これら複数の支持部によって前記シールドケース内に支持された基板と、この基板上の一端側に配置され前記シールドケースの切欠き部を介して前記シールドケースから露出したコネクタと、このコネクタに形成されると共にこのコネクタと電気的に接続されかつ前記シールドケースと前記切欠き部分で接触する接触部材とを具備したことを特徴とするものである。
【００１０】
請求項４にかかる電子機器は、請求項１乃至３記載の電子機器において、前記支持部材は前記シールドケースの一部を前記シールドケース内側に突出させることで形成されていることを特徴とするものである。
【００１１】
請求項５にかかる電子機器は、請求項１乃至３記載の電子機器において、前記シールドケースは、枠状部材及びこの枠状部材の両開口部側に配置される蓋状部材とから構成され、前記基板は前記枠状部材に支持されたことを特徴とするものである。
【発明の効果】
【００１２】
本発明によれば、小型化を図った際にもシールドケースへの回路基板への取り付けが容易で、かつ基板上に配置されたコネクタがシールドケースに確実に接触可能な電子機器を提供することができる。
【発明を実施するための最良の形態】
【００１３】
以下、本発明になる電子機器の実施の形態について図面を参照して説明する。
図１は本発明になる電子機器の一実施の形態を示す一部欠載分解斜視図であり、電子機器の例としてケーブルモデム装置を取り上げている。
【００１４】
図中、１はケーブルモデム装置全体を示し、この装置１はシールドケース２を構成する枠状部材３、この枠状部材３と共にシールドケース２を構成する上部蓋状部材４及び下部蓋状部材５、並びにケーブルモデム装置１内部に設けられケーブルモデム機能を実装したメイン基板６から主として構成されている。この基板６にはＣＡＴＶ幹線と接続するための高周波信号を処理するチューナ部７と、このチューナ部７に備えられているＲＦ同軸コネクタ８、１０ＢＡＳＥ−Ｔジャック９が具備されている。さらに１０ＢＡＳＥ−Ｔジャック９には、ケーブルモデム装置１のグラウンド（ＧＮＤ）すなわちシールドケース２とＩＥＥＥ８０２．３規格に準じた１０ＢＡＳＥ−Ｔケーブル（以下、１０ＢＡＳＥ−Ｔケーブルという）のシールド部（図示せず）との１０ＢＡＳＥ−Ｔジャック９を介した電気的接触を良好なものにするための接触片１０が設けられている。
【００１５】
以上からメイン基板６が取り付けられた枠状部材３（基板６の部材３への取り付けについては詳細を後述する）の２つの開口部が上部蓋状部材４および下部蓋状部材５により覆われてケーブルモデム装置１が構成されることになる。すなわち、シールドケース２は枠状部材３の内面４面をメイン基板６外周部と接触させ、上部蓋状部材４および下部蓋状部材５をメイン基板６の図中上下方向のカバーとして枠状部材３に対して着脱を容易にしながら取り付けることで、メイン基板６の全体（６面）を覆うような構造にしている。これによりメイン基板６は金属等の電磁波、不要輻射を遮蔽する効果のある素材で形成された
シールドケース２に収納された状態となる。
【００１６】
次にシールドケース２のうちの枠状部材３について詳細に説明する。この枠状部材３の４つの面のうちの１つの面には、通信や電源を供給するための電気的接続を目的とする端子群２１が配設され、端子群２１の一端はメイン基板６上に形成された端子穴群２２に挿入され、メイン基板６上の図示せぬ印刷配線と半田付けにより接続される。またメイン基板６を挿入したときに外部に突出するＲＦ同軸コネクタ８及び１０ＢＡＳＥ−Ｔジャック９を避けるために、それぞれ切り欠き部２３、２４が形成されている。
【００１７】
さらに枠状部材３の４つの内面側には、シールドケース２（の枠状部材３）にメイン基板６を挿入するときにメイン基板６を支持するための２種類の支持部２５、２６が複数形成されている。これら支持部２５、２６は枠状部材３に切り込みを入れて部材３の一部を内部に突出させることで形成されている。この様子を要部拡大断面図である図２に示した。図中、枠状部材３からその内部に向けて支持部２５、２６が形成され、これら支持部により点線で示したメイン基板６を支持している。
【００１８】
次にケーブルモデム装置の組み立て方法について図３乃至図４を用いて説明する。図３及び図４は、ケーブルモデム装置１の組み立て方法を説明するための要部断面図、並びに側面図である。支持部２６は図２に示したようにメイン基板６の挿入前にシールドケース２の枠状部材３の内面に突出しているが、図3（Ａ）に示すようにメイン基板６をシールドケース２の枠状部材３の開口部（図中、下方）から枠状部材３の内面に沿って挿入（図４（Ａ）参照）する際は、弾力により枠状部材３の面まで戻り、図３（Ｂ）、図４（Ｂ）に示すようにメイン基板６を挿入し終えた後は、再度シールドケース２の枠状部材３の内面に突出する。この結果、メイン基板６はシールドケース２の枠状部材３の支持部２５及び２６にその厚み方向を挟まれる形で支持固定される。
【００１９】
またこのメイン基板６が支持固定された状態で図４（Ｂ）に示すように１０ＢＡＳＥ−Ｔジャック９は切り欠き部２４に挿入されると同時に、切り欠き部２４は接触片１０が適当な圧力を持ちながらケース２に接触できるような寸法になっている。さらに詳細を説明しないが、ＲＦ同軸コネクタ８が切り欠き部２３に挿入される。
【００２０】
上述した構造にすることにより、ＲＦ同軸コネクタ８と１０ＢＡＳＥ−Ｔジャック９をシールドケース２の異なる面に備えることができる。またシールドケース２と１０ＢＡＳＥ−Ｔジャック９との接触が良好になることから、１０ＢＡＳＥ−Ｔケーブルのシールド性能はより良好なものになり、電磁波等の不要輻射から１０ＢＡＳＥ−Ｔケーブル内の信号への妨害を低減することができる。
【００２１】
また一般的にねじで固定されていたメイン基板６をシールドケース２の支持部２５、２６での支持による固定に置き換えることにより、ねじが不要になる。さらに、メイン基板６を固定するときの支持部２６の突き出し方法を簡易な方法とすることで、複数のねじを回して締め付ける方法よりも短時間でメイン基板６を固定することができる。
これらの効果により、高品位なＩＥＥＥ８０２．３規格に準じた通信が可能で、安価なケーブルモデム装置を提供することができる。
【００２２】
最後に、上述したケーブルモデム装置の回路について簡単に説明を行っておく。図５は、図１に示したケーブルモデム装置の回路構成の一例を説明するための回路ブロック図である。
【００２３】
ケーブルモデム装置１０１は、ＣＡＴＶセンター局１０２との通信の制御、同センター局１０２へ送信する上り送信信号の生成、同センター局１０２から送信されてくる下り受
信信号の復調、ケーブルモデム装置１０１に接続されている外部装置１０３とのデータ通信の制御、電源等の機能を有する。すなわち、ケーブルモデム装置１０１は、ＣＡＴＶセンター局１０２との間で信号を送受信するための高周波信号を扱うチューナ部１０４を備えている。またチューナ部１０４から周波数変換されて出力される下り受信信号をデジタル信号に変換するＡ／Ｄコンバータ部１０５、デジタル信号に変換された下り受信信号を復調しデータ化する復調部１０６、データ化された下り受信信号が入力されるＭＡＣ（Media Access Control）部１０７を有している。
【００２４】
さらにケーブルモデム装置１０１は、ＭＡＣ部１０７で生成され出力されたデジタルの上り送信信号をアナログ信号に変換するＤ／Ａコンバータ部１０８を有している。なお、このＤ／Ａコンバータ部１０８にてアナログ信号に変換された上り送信信号は、チューナ部１０４へ供給され、ＣＡＴＶセンター局１０２へ送信される。
【００２５】
ＭＡＣ部１０７はＣＡＴＶセンター局１０２との間で送受信したデータを、ケーブルモデム装置１０１に接続されている外部装置１０３と通信する機能を有する。ＭＡＣ部１０７の下り側データ入出力端子には、ＩＥＥＥ８０２．３規格に準じたインターフェイス部（Ｉ／Ｆ）１０９が接続され、このインターフェイス部１０９のさらに下り側のデータ入出力端子は外部装置１１０につながっている。上記データ入出力端子では、信号はＩＥＥＥ８０２．３等の規格の形式に変換されている。
【００２６】
なお、１１１はケーブルモデム装置１０１の動作を制御するマイクロコンピュータ、１１２はメモリであり、それぞれＭＡＣ部１０７に接続されている。さらに１１３は電源である。
【００２７】
以上により、インターフェイス部１０９の通信機能を用いて、外部装置１０３とデータの通信を行うことができる。
なお、上述してきた実施の形態においては、コネクタとして１０ＢＡＳＥ−Ｔジャック及びＲＦ同軸コネクタを取り上げたが、ＵＳＢコネクタ等他のコネクタについても本発明を適用できることは言うまでもない。
【図面の簡単な説明】
【００２８】
【図１】本発明になる電子機器の一実施の形態であるケーブルモデム装置を説明するための一部欠載分解斜視図。
【図２】図１の装置の支持部を説明するための要部拡大図。
【図３】図１の装置の支持部の動作を説明するための要部拡大図。
【図４】図１の装置における１０ＢＡＳＥ−Ｔジャックとシールドケースとの関係を説明するための図。
【図５】図１のケーブルモデム装置の回路構成の一例を説明するためのブロック図。
【符号の説明】
【００２９】
１：  ケーブルモデム装置
２：  シールドケース
３：  枠状部材
４：  上部蓋状部材
５：  下部蓋状部材
６：  メイン基板
８：  ＲＦ同軸コネクタ
９：  １０ＢＡＳＥ−Ｔジャック
１０：  接触片
２３、２４：  切り欠き部
２５、２６：  支持部
【図１】
2005108881.tif 000003
【図２】
2005108881.tif 000004
【図３】
2005108881.tif 000005
【図４】
2005108881.tif 000006
【図５】
2005108881.tif 000007